(57)【要約】      （修正有）【課題】再生循環用の衣類用カバーにおいて、軽量で持ち運びに適した衣類用カバーを提供する。【解決手段】再生ＰＥＴボトル５０％以上を使用した不織布にて再生循環用に形成する。正面矩形状又はその類似形状の袋状に形成する。上方にハンガーの吊り具を突出せしめる上端吊り下げ開口部４Ａを備える。下方にハンガー付きの衣類を挿入せしめる開放部５を備える。表カバー部と裏カバー部２が熱融着により一体化する。裏カバー部２には、裏面袋部７が形成される。該裏面袋部７の下端部中央に吊り下げ開口部４Ｂを形成する。該裏面袋部７を衣類用カバーＰの上端に被せて上端吊り下げ開口部４Ａと下端吊り下げ開口部４Ｂとを重ねるように構成する。【選択図】図２
0003158663.tif 000002
【実用新案登録請求の範囲】
【請求項１】
再生ＰＥＴボトル５０％以上を使用した不織布により再生循環用に形成された衣類用カバーであって、該衣類用カバーは、正面矩形状又はその類似形状の袋状に形成され、上方にハンガーの吊り具を突出せしめる上端吊り下げ開口部を備え、下方にハンガー付きの衣類を挿入せしめる開放部を備えたことを特徴とする衣類用カバー。
【請求項２】
前記衣類用カバーは、表カバー部と裏カバー部からなり、該表カバー部と裏カバー部の周囲縁が熱融着により一体化して形成され、裏カバー部には、該裏カバー下端部が前記上端吊り下げ開口部方向に向かって折り返した状態の裏面袋部が形成され、該裏面袋部は、裏カバー部から表カバー部方向へ折り返すことで、前記開放部を閉じるように構成した請求項１記載の衣類用カバー。
【請求項３】
前記裏面袋部の下端部中央に吊り下げ開口部が形成され、該裏面袋部を衣類用カバーの上端に被せて前記上端吊り下げ開口部と下端吊り下げ開口部とを重ねるように構成した請求項１又は２記載の衣類用カバー。
【請求項４】
再生ＰＥＴボトル５０％以上を使用した不織布にて再生循環用に形成され、正面矩形状又はその類似形状の袋状に形成され、上方にハンガーの吊り具を突出せしめる上端吊り下げ開口部を備え、下方にハンガー付きの衣類を挿入せしめる開放部を備えた衣類用カバーであって、表カバー部と裏カバー部が熱融着により一体化して形成され、裏カバー部には、該裏カバー下端部が前記吊り下げ開口部方向に向かって折り返した状態の裏面袋部が形成されると共に、該裏面袋部の下端部中央に吊り下げ開口部が形成され、該裏面袋部を衣類用カバーの上端に被せて上端吊り下げ開口部と下端吊り下げ開口部とを重ねるように構成したことを特徴とする衣類用カバー。
【考案の詳細な説明】
【技術分野】
【０００１】
本考案は、不織布により形成される再生循環型の衣類用カバーに係り、軽量でコンパクトなツーリストバッグ等として使用するのに好適な衣類用カバーに関する。
【背景技術】
【０００２】
従来の衣類用カバーは、持ち運び易くしたものや、紫外線から衣類を守るべく遮蔽されたもの等従来から多くのものが提案されている。
【０００３】
特許文献１に記載の衣類用カバーは持ち運び易くしたもので、携行時の上端に位置する袋の一端内に剛性芯材シートを介在させ、これに貫通孔を備え、これに手提げひもを挿通するものが考案されている。
【０００４】
また、特許文献２に記載の衣類用カバーは紫外線から衣類を守るようにしたもので、前カバーや後カバーを構成する不織布に、酸化チタンを練りこんだ不織布を積層して二重構造に形成したものが提案されている。
【先行技術文献】
【特許文献】
【０００５】
【特許文献１】実開平６−７５２９公報
【特許文献２】特開平１１−８９６９９公報
【考案の概要】
【考案が解決しようとする課題】
【０００６】
特許文献１においては、貫通孔やジップファスナー、手提げひも等あらゆる部品を衣類用カバーに備える必要があり、衣類用カバーだけでも重量感を生じさせる。しかも手提げひも等あらゆる部品を衣類用カバーに備えることから、製造に様々な工程を要し、製造コストパフォーマンスが悪いという難点もあった。
【０００７】
また、例えば、当衣類用カバーを携行する際には、備え付けの手提げひもを持ち携行することになるため、手提げひもの耐久性が問題となり、手提げひもが切れてしまうことなども否定できない。更に、手提げひもを使用するために、補型用芯材シートや、折り返し片、はと目など、衣類カバーを補強する各種の構成を必要とするので、廃棄後の再利用について考慮されたものではない。
【０００８】
特許文献２においては、前記の通り、酸化チタンを練りこんだ不織布を重合して二重構造にしたものであるからから、不織布を用いたものとしても重くなってしまう。
【０００９】
また、ハンガーの係止部を引き出すための吊り下げ開口部を、不織布に直接形成しているため、吊り下げ開口部が脆弱で、例えば、持ち運びの際に、吊り具によって吊り下げ開口部が破損する可能性が存在する。
【００１０】
更に、周囲を縫製等により結合するかまたは脱着可能に結合してなるものであり、例えば、結合に縫製等をする場合等は、接合部が強固とならず、スキマが存在することになり、ゴミの進入等の心配が生じ、衣類を保護するという観点から好ましくない。
【００１１】
そして、衣類用カバーが衣類を覆った状態のままで使用するため、使用時に嵩張りが生じ持ち運びに適さないという難点がある。
【００１２】
しかも、酸化チタンを練りこんだ不織布を重合して二重構造にしたものでは、当該衣類用カバーＰが不要になった場合の廃棄時の再利用について考慮されていない。
【００１３】
そこで、本考案は、上述の課題を解決すべく創出されたもので、再生循環用の衣類用カバーにおいて、軽量で持ち運びに適した衣類用カバーを提供することを目的としたものである。
【課題を解決するための手段】
【００１４】
第１の手段は、再生ＰＥＴボトル５０％以上を使用した不織布により再生循環用に形成された衣類用カバーＰであって、該衣類用カバーＰは、正面矩形状又はその類似形状の袋状に形成され、上方にハンガーＱの吊り具Ｑ１を突出せしめる上端吊り下げ開口部４Ａを備え、下方にハンガー付きの衣類を挿入せしめる開放部５を備えたことにある。
【００１５】
第２の手段において、前記衣類用カバーＰは、表カバー部１と裏カバー部２からなり、該表カバー部１と裏カバー部２の周囲縁が熱融着により一体化して形成され、裏カバー部２には、該裏カバー下端部が前記上端吊り下げ開口部４Ａ方向に向かって折り返した状態の裏面袋部７が形成され、該裏面袋部７は、裏カバー部２から表カバー部１方向へ折り返すことで、前記開放部５を閉じるように構成している。
【００１６】
第３の手段は、前記裏面袋部７の下端部中央に吊り下げ開口部４Ｂが形成され、該裏面袋部７を衣類用カバーＰの上端に被せて前記上端吊り下げ開口部４Ａと下端吊り下げ開口部４Ｂとを重ねるように構成したものである。
【００１７】
第４の手段は、再生ＰＥＴボトル５０％以上を使用した不織布にて再生循環用に形成され、正面矩形状又はその類似形状の袋状に形成され、上方にハンガーＱの吊り具Ｑ１を突出せしめる上端吊り下げ開口部４Ａを備え、下方にハンガー付きの衣類を挿入せしめる開放部５を備えた衣類用カバーＰであって、表カバー部１と裏カバー部２が熱融着により一体化して形成され、裏カバー部２には、該裏カバー２下端部が前記吊り下げ開口部４Ａ方向に向かって折り返した状態の裏面袋部７が形成されると共に、該裏面袋部７の下端部中央に吊り下げ開口部４Ｂが形成され、該裏面袋部７を衣類用カバーＰの上端に被せて上端吊り下げ開口部４Ａと下端吊り下げ開口部４Ｂとを重ねるように構成したことにある。
【考案の効果】
【００１８】
請求項１の構成により、材質の５０％以上が、不織布により形成されたことにより、軽量で再生循環に対応したものを形成することに成功した。また、本考案は、材質が不織布であることから構造も比較的簡易で、製造工程も製造コストの観点からも従来の技術より低減する。また、本考案の衣類用カバーは、矩形又はその類似形状で形成されており、衣類を保護するのに適している。
【００１９】
請求項２の構成により、例えば、表カバー部及び裏カバー部の相互を貼り付ける場合に、熱融着によるものであるため、製造工程を簡略化することができる。また、裏カバー部２から表カバー部１方向へ折り返すことで、前記開放部５を閉じる裏面袋部７を構成したことにより、衣類用カバーＰを包みこんでスキマが存在せず、ゴミの進入等の発生の心配がなくなり、衣類を保護するという衣類用カバーの最大の役割を備え大変すぐれたものを創造することに成功した。
【００２０】
請求項３の構成により、裏面袋部７の下端部中央に吊り下げ開口部４Ｂが形成されかつ、裏面袋部７を衣類用カバーＰの上端に被せて上端吊り下げ開口部４Ａと下端吊り下げ開口部４Ｂとを重ねるように構成したことにより、コンパクトで持ち運びにすぐれたものとなる。もちろん、かさばることもない。このような構造であれば、服のしわや毀損といったものも防ぐことが可能となる。
【００２１】
そして、何より、上端吊り下げ開口部４Ａと下端吊り下げ開口部４Ｂを重ねるように構成されることから、吊り下げ開口部が二重構造になり、不織布で形成された吊り下げ開口部を強固なものにすることに成功した。したがって、持ち運びの際に、ハンガーにより吊り下げ開口部が破損することを防ぐことに成功した。
【００２２】
請求項４の構成により、再利用可能で、製造過程も少なく、製造のコストパフォーマンスにも優れ、衣類の保護にも優れた強固で持ち運びに優れたものを提供することができる。
【図面の簡単な説明】
【００２３】
【図１】本考案の一実施例を示す正面図である。
【図２】本考案の一実施例を示す背面図である。
【図３】本考案に衣服を収納した状態を示す前面図である。
【図４】本考案の折り畳み状態を示す正面図である。
【図５】本考案の一実施例を示す横断面図である。
【図６】本考案の一実施例を示す縦断面図である。
【図７】本考案の収納手順を示す斜視図である。
【考案を実施するための形態】
【００２４】
本考案である衣類用カバーＰは、その材質が不織布より形成され、かつ、再生循環型に対応した衣類用カバーＰであって、上方に吊り下げ開口部４を備え、かつ、下方が開放された開放部５を備えて形成されることで当初の目的を達成する。
【実施例】
【００２５】
次に、図面に基づいて本考案の実施例を詳細に説明する。本考案である衣類用カバーＰは、衣類を覆うように、正面矩形状又はその類似形状の袋形状に形成される。そして、上方にハンガーの吊り具を突出せしめる上端吊り下げ開口部４Ａを備え、下方にハンガー付きの衣類を挿入せしめる開放部５を備えている。（図１参照）。
【００２６】
そして、材質が再生ＰＥＴボトル５０％以上を使用した不織布より形成される。ここで、再生ＰＥＴボトル５０％以上を使用した不織布は、生分解性繊維であるとも呼ばれ、土中や水中などでバクテリヤ等の微生物により最終的に水と二酸化炭素に分解(生分解)される樹脂で紡糸された繊維（不織布)のことである。つまり、生分解性繊維である不織布は、土中に埋め、海中、水中に放置されると微生物により分解が始まり、時間の経過と共に最終的に土に帰るものである。これから人間は二酸化炭素や水を生成し、植物が光合成を行い、食物を育てる。その食物からでんぷんや乳酸等を採取し、そこから再度不織布の製品を製造する。これを自然循環型の生分解性繊維（不織布）と呼ぶのである。本考案は、まさしくこの再生循環型の生分解性繊維（不織布）を採用している。これにより、再生循環型に適した、エコに適したものとなる。
【００２７】
衣類用カバーＰは、表カバー部１と裏カバー部２からなり、表カバー部と後カバー部が熱融着により一体化して形成される。すなわち、衣類用カバーＰの周縁に熱融着部３が形成される。（図５参照）。
【００２８】
裏カバー部２には、該裏カバー下端部が前記上端吊り下げ開口部４Ａ方向に向かって折り返した状態の裏面袋部７が形成され、この裏面袋部７の下端部中央に吊り下げ開口部４Ｂが形成されている（図２参照）。この裏面袋部７は、裏カバー部２から表カバー部１方向へ折り返すことで、開放部５を閉じるものである（図６参照）。
【００２９】
更に、表カバー部１に重ねた裏面袋部７を、衣類用カバーＰの上端に被せて前記上端吊り下げ開口部４Ａと下端吊り下げ開口部４Ｂとを重ねるように構成している（図４参照）。このように形成することで以下のような手順で持ち運びに適した形状にすることができる。
【００３０】
すなわち、本考案カバーの使用方法は、衣類用カバーＰ内にハンガーＱに掛けた衣類を入れる（図３参照）。その際、ハンガーＱの吊り具Ｑ１を衣類用カバーＰの上端吊り下げ開口部４Ａに挿通する（図７（イ）参照）。次に、裏面袋部７を裏返し、表カバー部１の下端部の開放部５を覆う状態にする（同図（ロ）参照）。更に、その状態で衣類用カバーＰ全体を二つ折りにし、裏面袋部７を衣類用カバーＰの上端に被せて上端吊り下げ開口部４Ａと下端吊り下げ開口部４Ｂとを重ねるようにする（同図（ハ）参照）。そして、重ねた上端吊り下げ開口部４Ａ及び下端吊り下げ開口部４Ｂ内に、ハンガーＱの吊り具Ｑ１を通す（同図（二）参照）。
【００３１】
このようにすることで、不織布で形成した吊り下げ開口部が強固となり、かつ、持ち運びに適したコンパクトなツーリストバックを形成することができる（図４参照）。
【００３２】
尚、本考案の衣類用カバーＰ及び上端吊り下げ開口部４Ａや下端吊り下げ開口部４Ｂの形状等は、図面に示されたものに限定されず、自由に変更できるものである。また、表カバー部１の縦方向中央部には、切込みが入っているものであってもよく、入っていないものでもよく、自由に変更できるものである。
【産業上の利用可能性】
【００３３】
衣類用カバーＰは、前述のような環境に配慮した、循環再生型として利用可能である。
【符号の説明】
【００３４】
Ｐ  衣類用カバー
Ｑ  ハンガー
Ｑ１  吊り具
１  表カバー部
２  裏カバー部
３  熱融着部
４Ａ  上端吊り下げ開口部
４Ｂ  下端吊り下げ開口部
５  開放部
６  裏カバー末端部
７  裏面袋部
【図１】
0003158663.tif 000003
【図２】
0003158663.tif 000004
【図３】
0003158663.tif 000005
【図４】
0003158663.tif 000006
【図５】
0003158663.tif 000007
【図６】
0003158663.tif 000008
【図７】
0003158663.tif 000009
【手続補正書】
【提出日】平成22年2月5日(2010.2.5)
【手続補正１】
【補正対象書類名】実用新案登録請求の範囲
【補正対象項目名】請求項３
【補正方法】変更
【補正の内容】
【請求項３】
前記裏面袋部の下端部中央に下端吊り下げ開口部が形成され、該裏面袋部を衣類用カバーの上端に被せて前記上端吊り下げ開口部と下端吊り下げ開口部とを重ねるように構成した請求項２記載の衣類用カバー。
【手続補正２】
【補正対象書類名】明細書
【補正対象項目名】００１６
【補正方法】変更
【補正の内容】
【００１６】
第３の手段は、前記裏面袋部７の下端部中央に下端吊り下げ開口部４Ｂが形成され、該裏面袋部７を衣類用カバーＰの上端に被せて前記上端吊り下げ開口部４Ａと下端吊り下げ開口部４Ｂとを重ねるように構成したものである。